【事件の表示】
　特許第３３５９０１５号「電線巻きドラム」の請求項１、２に係る特許に対する特許異議の申立てについて、次のとおり決定する。
【結　論】
　訂正を認める。
　特許第３３５９０１５号の請求項１に係る特許を取り消す。
【理　由】
Ｉ．手続の経緯の概要
　本件特許３３５９０１５号の請求項１及び２に係る発明についての出願は、平成１１年１２月１３日に特許出願され、平成１４年１０月１１日にその発明について特許権の設定登録（平成１４年１２月２４日特許公報発行）がなされ、その後、その特許について、異議申立人　三甲株式会社により、平成１５年６月１７日に特許異議の申立がなされ、取消理由の通知がなされ、その指定期間内である平成１６年９月６日に意見書の提出とともに訂正請求がなされたものである。
　
II．訂正の適否についての判断
１．訂正の内容
別紙「訂正の要旨」参照。
　
２．訂正の目的の適否、新規事項の有無、及び特許請求の範囲の拡張・変更の存否
　訂正事項ａについて
　訂正事項ａは、請求項１の発明特定事項に、請求項２の発明特定事項である、「電線取り出し孔が形成されてなる電線巻きドラムにおいて、・・・電線取り出し孔の鍔部の外面側に開口した外側開口の開口縁部や、電線取り出し孔の鍔部の内面側に開口した内側開口の開口縁部を、いずれも丸く面取りした面取り部と」することを付加し、限定するとともに、請求項２を削除するものであるから、特許請求の範囲の減縮を目的とした訂正に該当する。
　そして、この訂正事項ａは、願書に添付した明細書に記載した事項の範囲内の訂正であり、新規事項の追加に該当しない。
　また、上記訂正は、実質上特許請求の範囲を拡張し、又は変更するものではない。
　訂正事項ｂ，ｃについて
　訂正事項ｂ，ｃは、元の請求項１を訂正したことに対応して、【０００５】〜【０００６】段落及び【００２１】段落を訂正するものであり、明りょうでない記載の釈明を目的とした訂正に該当する。
　そして、上記訂正事項は、願書に添付した明細書又は図面に記載した事項の範囲内の訂正であって、新規事項の追加に該当せず、実質上特許請求の範囲を拡張し、又は変更するものではない。
　
３．むすび
　したがって、上記訂正は、特許法第１２０条の４第２項の規定、及び同条第３項において準用する特許法第１２６条第２項及び第３項の規定に適合するので、該訂正を認める。
　
III．特許異議申立てについての判断
１．当審が通知した取消理由
　当審は、本件の請求項１及び２に係る特許発明は、本件特許出願前に頒布された次の刊行物１ないし刊行物３に記載された発明に基づいて、当業者が容易に発明をすることができたものであるから、本件特許は、特許法第２９条第２項の規定に違反してされたものである旨の取消理由を通知した。
　
　刊行物１：特公昭５５−２６１１５号公報（甲第１号証）
　刊行物２：実願昭５０−１５１９８号（実開昭５１−９５７８９号）のマイクロフィルム（甲第２号証）
　刊行物３：三谷景造著、「射出成形金型」１９９７年６月１５日初版第１刷発行、株式会社シグマ出版、６７〜７６ページ（甲第３号証）
　
２．本件特許発明
　本件特許の請求項１に係る発明（以下、「本件訂正発明」という）は、訂正明細書の特許請求の範囲の請求項１に記載された事項により特定される次のとおりのものと認める。
　「【請求項１】胴部の両端に一対の鍔部が設けられてドラム体が構成され、胴部に巻装される電線の巻き始め始端をドラム体の内部から外部に取り出すための電線取り出し孔が形成されてなる電線巻きドラムにおいて、成形品である鍔部にその内面及び外面に開口するように取り出し溝部を一体に形成すると共に、この取り出し溝部の溝底を一端部が鍔部の内面側に位置し且つ他端部が鍔部の外面側に位置するように傾斜させて取り出し溝部の溝深さを外側に行くほど深く形成し、この取り出し溝部で電線取り出し孔を構成し、この電線取り出し孔の鍔部の外面側に開口した外側開口の開口縁部と内面側に開口した内側開口の開口縁部をいずれも丸く面取りした面取り部とし、上記電線取り出し孔の外側開口の開口縁部の面取り部に鍔部を成形する金型の雄型、雌型の境界線を位置させて成ることを特徴とする電線巻きドラム。」
　
３．引用例刊行物の記載事項
３−１．刊行物１の記載事項
　当審が通知した、取消理由に引用した刊行物１（特公昭５５−２６１１５号公報：特許異議申立人の提出した甲第１号証）には、電線・ケーブル用ドラムについて、図面とともに、以下の記載事項ａ〜ｃが記載されている。
　
記載事項ａ．（１ページ２欄２行〜１５行）
　「本発明は電線・ケーブルの保管、運搬等に用いるドラム、特に巻胴および鍔板をポリエチレンで各別に成型し、その巻胴の両側に鍔板をそれぞれ支承した電線・ケーブル用ドラムの改良に関し成型時のいわゆる引けによる変形がなく、かつ軽量化でき、しかも電線・ケーブル等を整然と巻くことができる・・・（中略）・・・１は円筒形の巻胴、２は１対の円形の鍔板で、それら巻胴１、鍔板２はポリエチレンに収縮変形防止のため発泡剤アゾジカルボンアミドを０．１〜１％（重量比）を添加したポリエチレンによって押出あるいはプレス成型されているものである。」
　
記載事項ｂ．（１ページ２欄３３行〜２ページ３欄６行）
　「鍔板２は中央に軸孔２ａを開設し、それと同心円状に外輪部３、胴受部４および軸受部５をそれぞれ他の部位より厚肉にして設けるとともに・・・（中略）・・・また胴受部４の外側部位に電線・ケーブルの巻き始め端部の取出口８を開設している。９は上記取出口８の一側縁より連続して上記外側部位の内外面にそれぞれ凹設した電線・ケーブルを案内するための傾斜面である。」
　
記載事項ｃ．（２ページ４欄２５行〜３１行）
　「電線・ケーブルの巻き始め端部の取出口にはその一側縁より連続して案内用の傾斜面を凹設しているので、上記巻き始め端部を傾斜面および鍔板の外面に沿って取り出せるから、その巻き始め端部が不用意に出つ張つて巻き列が乱れたり、保管、運搬等の邪魔になったりするおそれがない。」
　
　刊行物１には、巻胴の両側に鍔板をそれぞれ支承した電線・ケーブル用ドラムであって（記載事項ａ参照）、電線・ケーブルの巻き始め端部の取出口８が鍔板２に一体に成形された（記載事項ｂ参照）、ポリエチレン成形品のドラムが記載されている（記載事項ａ参照）。この取出口には、その一側縁より連続して案内用の傾斜面９が凹設されている（記載事項ｃ参照）。
　
３−２．刊行物２の記載事項
　また、当審が通知した、取消理由に引用した刊行物２（実願昭５０−１５１９８号（実開昭５１−９５７８９号）のマイクロフィルム：特許異議申立人の提出した甲第２号証）には、胴板６の両側に側板１を設けた、電線等の線状物荷造り用ドラムの巻始口について、図面とともに、以下のことが記載されている。
　
記載事項ｄ．（２ページ３行〜８行）
　「本考案は、線状物挿入窓を有する案内部品を、ゴムや合成樹脂の成形であらかじめ作っておき、これを側板１の切欠き３にはめ込んで巻始口を構成するようにしたもので、これによって巻始口を作る手間と、費用の低減を図り、かつ線状物を傷つけることのないようにしたものである。」
記載事項ｅ．（２ページ１４行〜３ページ６行）
　「第６図に案内部品１０の一例を示す。これは上記のようにゴムまたは合成樹脂を射出やプレスなどで成形して作る。・・・線状物挿入窓１２の・・・左側面１２３と右側面１２４の内外の両端部（たとえば１２３ａ、１２３ｂで示す部分）は、線状物を傷つけないために丸味をもたせてある。」
　
　そこで、刊行物２には、胴板６の両側に側板１を設けた、電線等の線状物荷造り用ドラムの、側板１に作られた切欠き３に、線状物の巻始端を挿入するための線状物挿入窓１２を有する合成樹脂製の案内部品１０をはめ込んだものが記載されており、この線状物挿入窓１２の両端部１２３ａ，１２３ｂは、線状物を傷つけないために丸みをもたせて形成されていることが記載されている。
　
４．対比・判断
　本件訂正発明（以下「前者」という）を、刊行物１記載のもの（以下「後者」という）と比較すると、後者のドラムは、巻胴の両側に鍔板をそれぞれ支承したものであって、電線・ケーブル用に用いるものであるから（記載事項ａ参照）、前者の、胴部の両端に一対の鍔部が設けられてドラム体が構成された「電線巻きドラム」に相当し、後者の巻胴、鍔板は、それぞれ前者の「胴部」、「鍔部」に相当する。
　後者の、電線・ケーブルの巻き始め端部の取出口８は、鍔板２に、その内面から外面に開口する孔として一体に成形されており（第２，４図、記載事項ｂ参照）、その一側縁より連続して案内用の傾斜面９が凹設されているので（記載事項ｃ参照）、後者の取出口８は、前者の、成形品である鍔部にその内面及び外面に開口するように一体に形成された取り出し溝部で構成される「電線取り出し孔」に、また、後者の、案内用の傾斜面９は、前者の、一端部が鍔部の内面側に位置し且つ他端部が鍔部の外面側に位置するように傾斜させて、溝深さを外側に行くほど深く形成した取り出し溝部の「溝底」に相当する。
　
　そこで、両者は、次の点で一致し、相違点１及び２で相違する（対応する刊行物１記載の部材名を（　）内に示す）。
　
（一致点）
　「胴部の両端に一対の鍔部が設けられてドラム体が構成され、胴部に巻装される電線の巻き始め始端をドラム体の内部から外部に取り出すための電線取り出し孔が形成されてなる電線巻きドラムにおいて、成形品である鍔部にその内面及び外面に開口するように取り出し溝部を一体に形成すると共に、この取り出し溝部の溝底を一端部が鍔部の内面側に位置し且つ他端部が鍔部の外面側に位置するように傾斜させて取り出し溝部の溝深さを外側に行くほど深く形成し、この取り出し溝部で電線取り出し孔を構成した電線巻きドラム。」
　
（相違点１）
　前者は、電線取り出し孔の鍔部の外面側に開口した外側開口の開口縁部と内面側に開口した内側開口の開口縁部をいずれも丸く面取りした面取り部としているのに対し、後者は、電線取り出し孔（取出口８）の、鍔部（鍔板）の外面側に開口した外側開口の開口縁部と内面側に開口した内側開口の開口縁部を面取り部としていない点。
　
（相違点２）
　前者の鍔部は、電線取り出し孔の外側開口の開口縁部の面取り部に鍔部を成形する金型の雄型、雌型の境界線を位置させているのに対し、後者の鍔部（鍔板）は、成型されたものであるが、金型の雄型、雌型の境界線をどこに位置させたか明かでない点。
　
（相違点１についての判断）
　刊行物２には、胴板の両側に側板を設けた、電線等の線状物荷造り用ドラムの、側板に設ける、線状物の巻始端を挿入するための線状物挿入窓１２を有する合成樹脂成型品の案内部品１０について、この線状物挿入窓１２の両端部１２３ａ，１２３ｂに、線状物を傷つけないために丸みをもたせて形成することが記載されている。
　そこで、刊行物１記載のドラムの鍔板を成型するにあたり、刊行物２記載の技術事項を適用して、取出口８の外面側に開口した外側開口の開口縁部と内面側に開口した内側開口の開口縁部を、丸みをもたせて形成した面取り部とし、相違点１に係る本件訂正発明の発明特定事項のようにすることは、当業者が容易に想到し得たことである。
　
（相違点２についての判断）
　一般に、垂直方向に離接する一対の金型により、垂直方向に離型する成形品を製造する場合、金型に形成された面を製品の離型方向に向かって閉じ勾配にすると、アンダカット処理等の特殊な処理なしには離型できなくなるので、金型を設計するにあたって、なるべくアンダカットを生じないようにして製品の離型が容易に行えるよう、一対の金型の分割面（ＰＬ面・パーティングライン面）を設計することは、例えば刊行物３にも示されているように、本件特許出願前に周知の事項にすぎない。
　そこで、刊行物１記載の鍔板２についてみると、第４図で示される、鍔板２の取出口８の一側縁に設けられ、鍔板内側から外側に向かって深くなる傾斜面９の、内外両側の開口縁部に、刊行物２の記載に倣ってそれぞれ丸みを持たせる場合、外側開口縁部の外側に、傾斜面９とは逆勾配の部分ができるので、離型を可能とするために、外側開口縁部に設けた丸みの順逆勾配の境界にＰＬ面を設け、相違点２に係る本件訂正発明の発明特定事項のようにすることは、当業者が、金型の設計にあたり当然考慮し得た程度の事項にすぎない。
　
　なお、本件特許権者は、特許異議意見書において、概略、本件発明は、「電線取り出し孔の外側開口の開口縁部の面取り部に鍔部を成形する金型の雄型、雌型の境界線を位置させた」ので、型の境界線でバリが生じたとしても、このバリは電線が確実に離れる面取り部の部位で生じることとなるから、電線取り出し孔に挿通した電線にバリが接触する恐れが低減される旨主張しているが、かかる作用効果は、刊行物１ないし３に記載されたものより当業者が容易に予測し得た程度のものであって格別とは言えないので、本件特許権者の上記主張は採用できない。
　
IV．むすび
　以上のとおりであるので、本件訂正発明は、刊行物１ないし３に記載されたもの及び周知技術に基づいて、当業者が容易に発明をすることができたものであるから、本件訂正発明の特許は、特許法第２９条第２項の規定に違反してされたものである。
　
　したがって、本件発明についての特許は、特許法第１１３条第２号に該当し、取り消されるべきものである。
　
　よって、結論の通り決定する。
【異議決定日】
平成１７年１月２４日（２００５．１．２４）
【訂正の要旨】
審決（決定）の【理由】欄参照。
（５４）【発明の名称】
電線巻きドラム
（５７）【特許請求の範囲】
　【請求項１】　胴部の両端に一対の鍔部が設けられてドラム体が構成され、胴部に巻装される電線の巻き始め始端をドラム体の内部から外部に取り出すための電線取り出し孔が
形成されてなる電線巻きドラムにおいて、成形品である鍔部にその内面及び外面に開口するように取り出し溝部を一体に形成すると共に、この取り出し溝部の溝底を一端部が鍔部の内面側に位置し且つ他端部が鍔部の外面側に位置するように傾斜させて取り出し溝部の溝深さを外側に行くほど深く形成し、この取り出し溝部で電線取り出し孔を構成し、この電線取り出し孔の鍔部の外面側に開口した外側開口の開口縁部と内面側に開口した内側開口の開口縁部をいずれも丸く面取りした面取り部とし、上記電線取り出し孔の外側開口の開口縁部の
ラム。
【発明の詳細な説明】
　【０００１】
　【発明の属する技術分野】
　本発明は、電線巻きドラムに関し、詳しくは胴部に巻装される電線の巻き始め始端をドラム体の外部に取り出すための電線取り出し孔の構造に関するものである。
　【０００２】
　【従来の技術】
　従来から、胴部の両端に一対の鍔部を設けてドラム体を構成し、このドラム体の鍔部に、胴部に巻装される電線の巻き始め始端をドラム体の外部に取り出すための電線取り出し孔を設けたものが知られている。そして、従来にあっては、図７に示すように、電線取り出し孔５の鍔部２の外部側に開口する外側開口５ａの開口縁部及び内部側に開口する内側開口５ｂの開口縁部がエッジ部６ａとなっており、また、鍔部２は硬質ポリプロピレン等の硬質合成樹脂により形成してある。ここで、エッジ部６ａを形成したのは、雄型、雌型を簡単に形成するためである。
　【０００３】
　一方、胴部に巻装される電線４は芯線を架橋ポリエチレン製の絶縁層等の被覆層により被覆してある。そして、この電線４の巻始め始端を電線取り出し孔５から外部に取り出すのであるが、上記のように、電線取り出し孔５の外側開口５ａ及び内側開口５ｂの開口縁部が硬いエッジ部６ａとなっているので、図７に示すように電線４の被覆層にエッジ部６ａが食い込んで電線４を損傷させるという問題があり、また、電線４の被覆層の外面には品番、電圧等の文字や数字が印刷して表示してあるが、被覆層がエッジ部６ａで擦られて被覆層に印刷された文字や数字が消えて見えなくなったり、あるいは部分的に消えることで異なった文字や数字に見えてしまう（例えば９という数字の一部が消えて７という数字に見えたり、８という数字の一部が消えて３や５という数字に見えてしまう）という問題があった。また、電線の被覆層にエッジ部６ａが食い込んで電線に凹部を形成することになり、他の電線と繋ぎ合わせるときにその凹部の部分を切り捨てなくてはならないという問題があった。
　【０００４】
　【発明が解決しようとする課題】
　本発明は上記の点に鑑みてなされたものであり、電線の巻始め始端を電線取り出し孔から外部に取り出すに当たり、電線の被覆を損傷したり、あるいは電線の被覆層の外面に印刷された文字や数字が擦られて消えることがない電線巻きドラムを提供することを課題とするものである。
　【０００５】
　【課題を解決するための手段】
　上記課題を解決するために本発明に係る電線巻きドラムは、胴部１の両端に一対の鍔部２が設けられてドラム体３が構成され、胴部１に巻装される電線４の巻き始め始端をドラム体３の外部に取り出すための電線取り出し孔５が
形成されてなる電線巻きドラムにおいて、成形品である鍔部２にその内面及び外面に開口するように取り出し溝部８を一体に形成すると共に、この取り出し溝部８の溝底８ａを一端部が鍔部２の内面側に位置し且つ他端部が鍔部２の外面側に位置するように傾斜させて取り出し溝部８の溝深さを外側に行くほど深く形成し、この取り出し溝部８で電線取り出し孔５を構成し、この電線取り出し孔５の鍔部２の外面側に開口した外側開口５ａの開口縁部と内面側に開口した内側開口５ｂの開口縁部をいずれも丸く面取りした面取り部７とし、上記電線取り出し孔５の外側開口５ａの開口縁部の
。こ
　【０００６】
　【発明の実施の形態】
　以下、本発明を添付図面に示す実施形態に基づいて説明する。
　【０００７】
　ドラム体３は例えばＰＰ（ポリプロピレン）からなり、図１に示すように、略筒状の胴部１の両端に一対の鍔部２を設けて構成してある。これら胴部１と一対の鍔部２は射出成形などによって成形され、各成形品を組み立ててボルト９により固定してある。
　【０００８】
　ドラム体３の両側に設けられる鍔部２の外面部には多数の補強用リブ１０が突設してあり、鍔部２にかかる荷重が補強用リブ１０により吸収されることにより鍔部２の割れを防止するようになっている。また、鍔部２の外周面部にはドラム体３を置いた時に滑らないように周方向に間隔をあけて複数の滑り止め防止用リブ１２が突設してある。鍔部２には前述のように胴部１と両鍔部２とを固定するためのボルト９が貫通するための複数のボルト孔１１が周方向に間隔をあけて複数個穿孔してあり、鍔部２の内部側に胴部１の端部をはめ込むための嵌め込み溝部２０が形成してあって、この嵌め込み溝部２０に胴部１の端部をはめ込み、ボルト９を用いて両鍔部２と胴部１とを連結固着する。
　【０００９】
　また、鍔部２には胴部１に巻装される電線４の巻き始め始端をドラム体３の外部に取り出すための電線取り出し孔５が形成してある。
　【００１０】
　ここで、添付図面に示す実施形態では図１乃至図５に示すように、鍔部２に内面及び外面に開口した取り出し溝部８を形成してあって、この両端が鍔部２の内外に開口した取り出し溝部８により電線取り出し孔５が構成してある。図４に示すように、取り出し溝部８の溝底８ａは一端部が鍔部２の内面側に位置し且つ他端部が鍔部２の外面側に位置するように傾斜させてあって取り出し溝部８の溝深さを外側に行くほど深くしてあり、取り出し溝部８の溝深さが深い方の端部の鍔部２の外側に開口した部分が電線取り出し孔５の外側開口５ａとなっており、溝深さが浅い方の端部が鍔部２の内側に開口した内側開口５ｂとなっている。図４乃至図６においてＢは鍔部２の外側、Ｃは内側を示している。
　【００１１】
　そして、本発明においては電線取り出し孔５の開口縁部に丸く面取りした面取り部７を設けてある。
　【００１２】
　添付図面に示す実施形態においては、電線取り出し孔５の外側開口５ａの開口縁部、内側開口５ｂの開口縁部のいずれも丸く面取りして面取り部７としてある。この面取り部７の曲率半径は例えば２ｍｍ〜４ｍｍ程度に設定する。
　【００１３】
　しかして、電線４をドラム体３に巻装するに当たっては、電線４の巻き始め端部をドラム体３の内部から取り出し溝部８よりなる電線取り出し孔５を通して鍔部２の外部に取り出し、鍔部２の外面側において電線端部保持具（図示せず）などを用いて電線４の端部を鍔部２の外部に取付ける。その後、ドラム体３の内部において胴部１に電線４を巻き取るものである。電線４の巻き始め端部をドラム体３の内部から鍔部２の外部に取り出す際、電線４をドラム体３の内側より溝底８ａが外側に行くほど溝深さが深くなるように傾斜した取り出し溝部８よりなる電線取り出し孔５を通して外部に取り出すので、傾斜した溝底８ａを有する取り出し溝部８をガイドとして電線取り出し孔５から外側にスムーズに取り出すことができるものである。
　【００１４】
　このように、電線取り出し孔５から外部に電線４を取り出す際、電線４の被覆層が電線取り出し孔５の開口縁部に当たって擦れても、電線取り出し孔５の開口縁部に丸く面取りした面取り部７を設けてあることで、電線４の被覆層が損傷したり、あるいは電線４の被覆層の外面に表示された文字や数字が消えることがないものである。
　【００１５】
　上記実施形態では、電線取り出し孔５の外側開口５ａの開口縁部、内側開口５ｂの開口縁部のいずれも丸く面取りした面取り部７を形成してあるが、少なくとも、電線取り出し孔５の外側開口５ａの開口縁部の取り出し溝部８の溝底８ａの端部に相当する部位Ａを丸く面取りした面取り部７とする。つまり、電線４の巻き始め端部をドラム体３の内部から電線取り出し孔５に通して外部に取り出す際、電線４に図６の矢印方向の外力が作用する場合があり、このような場合には電線４が電線取り出し孔５の開口縁部の取り出し溝部８の溝底８ａの端部に相当する部位Ａに強く当たって擦れることがあるので、これに対応して、上記のように少なくとも、電線取り出し孔５の外側開口５ａの開口縁部の取り出し溝部８の溝底８ａの端部に相当する部位Ａを丸く面取りした面取り部７とすることで対応することができるものである。電線取り出し孔５の外側開口の丸く面取りした部分に金型の雄型、雌型の境界線を形成するものである。
　【００１６】
　もちろん、電線取り出し孔５の内側開口５ｂの開口縁部を丸く面取りして面取り部７とすることで、電線取り出し孔５の入口部分においても電線４の被覆層が損傷したり、あるいは電線４の被覆層の外面に表示された文字や数字が消えないようにすることができるものである。
　【００１７】
　なお、上記実施形態では両端が鍔部２の内外に開口した取り出し溝部８により電線取り出し孔５を構成した例を示したが、電線取り出し孔５としては両端部が鍔部２の内外に開口した溝形状以外のものであってもよいのはもちろんである。
　【００１８】
　【発明の効果】
　上記のように本発明の請求項１記載の発明にあっては、胴部の両端に一対の鍔部が設けられてドラム体が構成され、胴部に巻装される電線の巻き始め始端をドラム体の内部から外部に取り出すための電線取り出し孔が
形成されてなる電線巻きドラムにおいて、成形品である鍔部にその内面及び外面に開口するように取り出し溝部を一体に形成すると共に、この取り出し溝部の溝底を一端部が鍔部の内面側に位置し且つ他端部が鍔部の外面側に位置するように傾斜させて取り出し溝部の溝深さを外側に行くほど深く形成し、この取り出し溝部で電線取り出し孔を構成し、この電線取り出し孔の鍔部の外面側に開口した外側開口の開口縁部と内面側に開口した内側開口の開口縁部をいずれも丸く面取りした面取り部とし、上記電線取り出し孔の外側開口の開口縁部の
、ド
【図面の簡単な説明】
　【図１】本発明の電線巻きドラムを示す全体斜視図である。
　【図２】同上の側面図である。
　【図３】図上の断面図である。
　【図４】（ａ）は図２のＸ−Ｘ線断面図であり、（ｂ）はさらに要部を拡大した断面図である。
　【図５】図４のＹ−Ｙ線断面図である。
　【図６】同上の電線取り出し孔にドラム体の内部より電線を通している状態を示す説明図である。
　【図７】従来例の電線取り出し孔にドラム体の内部より電線を通している状態を示す説明図である。
　【符号の説明】
　１　胴部
　２　鍔部
　３　ドラム体
　４　電線
　５　電線取り出し孔
　６　開口縁部
　７　面取り部
　８　取り出し溝部
　８ａ　溝底
　８ｂ　溝側壁